(57)【要約】      （修正有）【課題】複数種類の医療データの正常範囲内外を跨る推移を確認することができる、コンピュータプログラム、表示装置、表示システム及び表示方法を提供する。【解決手段】表示システム１００において、表示装置５０は、サーバ２０で統合管理されている情報処理装置１０が送信する医療情報を、通信部５４を介して受信し、表示処理部５２で、種類の異なる複数の医療データの推移を表示画面５１に表示すると共に、複数の医療データが複数の医療データに係るそれぞれの所定範囲内又は外であることを識別可能に表示する。【選択図】図１
2018173903.tif 000002
【特許請求の範囲】
【請求項１】
コンピュータに、医療データを表示画面に表示させるためのコンピュータプログラムであって、
コンピュータに、
種類の異なる複数の医療データの推移を前記表示画面に表示する処理と、
前記複数の医療データが該複数の医療データに係るそれぞれの所定範囲内又は外であることを識別可能に表示する処理と
を実行させるコンピュータプログラム。
【請求項２】
コンピュータに、
前記複数の医療データがそれぞれの所定範囲外にある時点又は期間を識別可能に表示する処理を実行させる請求項１に記載のコンピュータプログラム。
【請求項３】
コンピュータに、
前記複数の医療データがそれぞれの所定範囲外にある時点又は期間と、前記複数の医療データがそれぞれの所定範囲内にある時点又は期間とを異なる表示態様で表示する処理を実行させる請求項１又は請求項２に記載のコンピュータプログラム。
【請求項４】
コンピュータに、
推移が表示された任意の医療データを選択する操作を受け付けた場合、選択された医療データに関連する医療情報を表示する処理を実行させる請求項１から請求項３のいずれか一項に記載のコンピュータプログラム。
【請求項５】
コンピュータに、
推移が表示された任意の医療データを選択する操作を受け付けた場合、選択された医療データに係る数値目盛、及び選択された医療データに係る所定範囲を示す境界の少なくとも一つを表示する処理を実行させる請求項１から請求項４のいずれか一項に記載のコンピュータプログラム。
【請求項６】
コンピュータに、
推移が表示された任意の医療データを選択する操作を受け付けた場合、選択されなかった医療データの推移を前記表示画面から消去する処理を実行させる請求項１から請求項５のいずれか一項に記載のコンピュータプログラム。
【請求項７】
コンピュータに、
推移が表示された任意の医療データが所定範囲外にある時点又は期間を選択する操作を受け付け、前記医療データが前記所定範囲外にある他の時点又は他の期間が存在する場合、該他の時点又は他の期間を表示する処理を実行させる請求項１から請求項６のいずれか一項に記載のコンピュータプログラム。
【請求項８】
コンピュータに、
前記複数の医療データに係るそれぞれの所定範囲を示す境界を共通化して表示する処理を実行させる請求項１から請求項７のいずれか一項に記載のコンピュータプログラム。
【請求項９】
医療データを表示画面に表示する表示装置であって、
種類の異なる複数の医療データの推移を前記表示画面に表示するデータ表示処理部と、
前記複数の医療データが該複数の医療データに係るそれぞれの所定範囲内又は外であることを識別可能に表示する識別処理部と
を備える表示装置。
【請求項１０】
請求項９に記載の表示装置と、該表示装置に接続され、医療データを記憶する記憶部を有するサーバとを備える表示システム。
【請求項１１】
医療データを表示画面に表示する表示方法であって、
種類の異なる複数の医療データの推移を前記表示画面にデータ表示処理部が表示し、
前記複数の医療データが該複数の医療データに係るそれぞれの所定範囲内又は外であることを識別可能に識別処理部が表示する表示方法。
【発明の詳細な説明】
【技術分野】
【０００１】
本開示は、コンピュータプログラム、表示装置、表示システム及び表示方法に関する。
【背景技術】
【０００２】
近年、病院又は診療所などの医療機関では、医療情報の電子化及びシステム化が進みつつあり、医療機関の放射線科等の各部門での画像データ又は検査データ、検査結果を示すレポートなどの文書データ、電子カルテなどの膨大な医療情報がデータベース化された医療情報統合管理システムが実用化されている。
【０００３】
このような医療情報統合管理システムは、膨大な医療情報を一元管理するサーバ、各部門で得られた医療データをサーバへ送信する情報処理装置、及び医師、技師又は看護師などの医療従事者が医療情報を閲覧し、あるいは所要の操作を行うための表示装置などを備える。
【０００４】
医療機関では、患者の症状を示す各種の検査結果（医療データ）などを時系列に複数の折れ線グラフで表示することが行われている。特定の検査結果に対する正常値範囲を視覚的に表現するため、複数の折れ線グラフの一つを選択した場合、選択した検査結果に対する正常値範囲を強調表示する表示システムが開示されている（特許文献１参照）。
【先行技術文献】
【特許文献】
【０００５】
【特許文献１】特許第５４４５９５０号公報
【発明の概要】
【発明が解決しようとする課題】
【０００６】
しかし、特許文献１のような表示システムにあっては、特定の一つの医療データについては正常範囲を確認することができるものの、複数種の医療データの正常範囲内外を跨る推移を確認することができない。
【０００７】
本開示は、斯かる事情に鑑みてなされたものであり、複数種の医療データの正常範囲内外を跨る推移を確認することができるコンピュータプログラム、表示装置、表示システム及び表示方法を明らかにする。
【課題を解決するための手段】
【０００８】
本願は上記課題を解決する手段を複数含んでいるが、その一例を挙げるならば、コンピュータプログラムは、コンピュータに、医療データを表示画面に表示させるためのコンピュータプログラムであって、コンピュータに、種類の異なる複数の医療データの推移を前記表示画面に表示する処理と、前記複数の医療データが該複数の医療データに係るそれぞれの所定範囲内又は外であることを識別可能に表示する処理とを実行させる。
【発明の効果】
【０００９】
本開示によれば、複数種の医療データの正常範囲内外を跨る推移を確認することができる。本開示に関連する更なる特徴は、本明細書の記述、添付図面から明らかになるものである。また、上記した以外の、課題、構成および記述は、以下の実施形態の説明により明らかにされる。
【図面の簡単な説明】
【００１０】
【図１】本実施の形態の表示システムの構成の一例を示すブロック図である。
【図２】本実施の形態の表示処理部の構成の一例を示すブロック図である。
【図３】本実施の形態の表示処理部が表示画面に表示する第１表示例を示す模式図である。
【図４】本実施の形態の表示処理部が表示画面に表示する第２表示例を示す模式図である。
【図５】本実施の形態の表示処理部が表示画面に表示する第３表示例を示す模式図である。
【図６】本実施の形態の表示処理部が表示画面に表示する第４表示例を示す模式図である。
【図７】本実施の形態の表示処理部が表示画面に表示する第５表示例を示す模式図である。
【図８】本実施の形態の表示処理部が表示画面に表示する第６表示例を示す模式図である。
【図９】本実施の形態の表示処理部が表示画面に表示する第７表示例を示す模式図である。
【図１０】本実施の形態の表示処理部が表示画面に表示する第８表示例を示す模式図である。
【図１１】本実施の形態の表示処理部が表示画面に表示する第９表示例を示す模式図である。
【図１２】本実施の形態の表示処理部が表示画面に表示する第１０表示例を示す模式図である。
【図１３】本実施の形態の表示処理部の構成の他の例を示すブロック図である。
【図１４】本実施の形態の表示装置による表示処理の一例を示すフローチャートである。
【図１５】本実施の形態の表示装置による選択操作に応じた表示処理の一例を示すフローチャートである。
【発明を実施するための形態】
【００１１】
以下、本開示の実施の形態の表示装置、該表示装置を実現するためのコンピュータプログラム、表示システム及び表示方法について説明する。図１は本実施の形態の表示システム１００の構成の一例を示すブロック図である。本実施の形態の表示システム１００は、例えば、医療情報統合管理システムであり、病院又は診療所などの医療機関で行われる診察、診断、検査等に係る医療情報を、患者毎に参照可能となるように統合管理する。
【００１２】
表示システム１００は、医療情報を統合管理するサーバ２０、所定の通信ネットワークを介してサーバ２０と接続される複数の情報処理装置１０及び表示装置５０などを備える。なお、図１では便宜上、表示装置５０を一つだけ図示しているが、複数の表示装置５０が、サーバ２０に接続されてもよい。
【００１３】
情報処理装置１０は、医療機関内の複数の治療部門、診療部門又は検査部門等に設置され、所定の電子データの入力処理、記録処理、編集処理及び出力処理などを行うことができる。情報処理装置１０は、周辺装置を含むコンピュータシステムで構成することができ、例えば、放射線システム、電子カルテシステム、内視鏡システム、生理検査システム、心電図システム、検体ラボシステム、薬剤投薬処方システムなどを構成することができる。情報処理装置１０は、画像データ、文書データ、検査データ等の医療情報をサーバ２０へ送信することができる。
【００１４】
サーバ２０は、サーバ２０全体を制御する制御部２１、記憶部２２、通信部２３などを備える。
【００１５】
通信部２３は、情報処理装置１０及び表示装置５０との間の通信機能を有し、所要の情報の送信及び受信を行うことができる。
【００１６】
記憶部２２は、各情報処理装置１０が送信する医療情報を記憶する。記憶部２２は、患者を特定する特定情報毎に医療情報を各患者に対応付けて記憶することができる。
【００１７】
制御部２１は、ＣＰＵ、メモリ（ＲＯＭ、ＲＡＭなど）、メモリに格納されたプログラムなどで構成することができ、記憶部２２に記憶した医療情報を、患者を特定する特定情報に基づいて抽出し、抽出した医療情報を、医療情報を特定することができる二つの特定要素によってマトリクス状に配置した一覧表示形式の表示データを生成する。
【００１８】
表示装置５０は、液晶パネルなどの表示画面５１、表示処理部５２、操作入力部５３、通信部５４、記憶部５５などを備える。表示装置５０は、医療機関の医師、技師又は看護師などの医療従事者が、医療情報に係る操作及び閲覧を行うためのものであり、診療、診断の際に使用される。表示装置５０は、周辺装置を含むコンピュータ装置で構成することができるが、画面に対してタッチ操作が可能なタブレット装置でもよい。
【００１９】
なお、表示装置５０は、サーバ２０の機能を内蔵してもよい。例えば、表示装置５０は、サーバ２０を経由せずに情報処理装置１０と直接ネットワークを介して、必要な情報を蓄積して表示することもできる。
【００２０】
また、表示装置５０は、情報処理装置１０の機能を内蔵してもよい。例えば、電子カルテシステムが機能拡張されることにより、表示装置５０に情報処理装置１０の機能を組み込むこともできる。
【００２１】
また、表示装置５０が備える表示画面５１は、一つに限定されず、複数の表示画面（複数の表示デバイス）を備えることもできる。
【００２２】
操作入力部５３は、キーボード、マウス、トラックパッド（タッチパッド）、スタイラスペンなどを含み、医療従事者が、表示画面５１上のアイコン（図形、文字、数字、記号など）又は表示画面５１の所要の箇所を操作（例えば、マウスの場合、左クリック、右クリック、ダブルクリックなど）すると、入力された操作を、当該操作に対応する指令に変換して表示処理部５２へ出力する。
【００２３】
通信部５４は、サーバ２０が送信した一覧表示形式の表示データを受信する。通信部５４で受信された表示データは、記憶部５５に記憶される。
【００２４】
図２は本実施の形態の表示処理部５２の構成の一例を示すブロック図である。表示処理部５２は、データ表示処理部５２１、識別処理部５２２、医療情報表示処理部５２３などを備える。表示処理部５２は、ＣＰＵ、メモリ（ＲＯＭ、ＲＡＭなど）、メモリに格納されたプログラムなどで構成することができる。
【００２５】
表示処理部５２は、通信部５４を介してサーバ２０で統合管理されている医療情報を受信することにより、診察、診断、検査等に必要な医療情報を、医療従事者毎の用途に合わせて、患者毎に過去の医療情報から最新の医療情報までを時系列的に表示する処理を行う。
【００２６】
医療情報は、便宜上、例えば、画像、文書、検査、投薬などの種別毎に分けることができる。画像には、例えば、ＣＴ（Computed Tomography）、ＣＲ（Computed Radiology）、ＵＳ（ultrasonography）、ＭＲＩ（magnetic resonance imaging）などのデータが含まれる。また、画像には動画像も含まれる。文書には、例えば、紹介状、診断書、レポート、問診票、同意書、計画書などが含まれる。検査には、生理データとして、例えば、心電図、脳波、超音波、眼底、動脈硬化、血圧、体温、内視鏡などの検査データが含まれ、検体データとして、例えば、ＣＥＡ（腫瘍マーカー）、血液、病理、尿、ＡＬＴ（アラニンアミノトランスフェラーゼ）などの検査データが含まれる。また、検査データには、ＡＬＢ、ＴＰ、ＬＡＰ、ＧＰＴ、ＡＬＰ、ＧＯＴなどの生化学検査に関するデータを含めることもできる。投薬には、投薬情報が含まれる。本明細書では、医療データは、検査の結果得られる検査データが含まれる。なお、検査データは、上述の例に限定されるものではない。以下では、医療データの例として検査データについて説明する。
【００２７】
次に、表示処理部５２の詳細について説明する。
【００２８】
データ表示処理部５２１は、種類の異なる複数の検査データの推移（例えば、時間的推移）を表示画面５１に表示する。種類の異なる複数の検査データとは、例えば、ある患者に対する種類の異なる検査を行った検査結果を示す検査データである。表示画面５１に表示する検査データの種類、表示期間は、適宜設定することができ、医療従事者が所要の検査データ、期間を特定して表示することができる。
【００２９】
識別処理部５２２は、複数の検査データが、当該複数の検査データに係るそれぞれの所定範囲内又は外であることを識別可能に表示する。所定範囲とは、対象とする医療データの値を解釈する際の判断基準を与えるデータの範囲である。例えば、各検査データの正常値範囲、対象の患者の通常値の範囲等とすることができる。なお、正常値は、患者の性別、年齢等により変動するため、対象の患者の属性（性別、年齢など）に応じて適宜設定されることが好ましい。例えば、クレアニチンであれば、男性の正常値が０．５ｍｇ／ｄＬ〜１．０ｍｇ／ｄＬの範囲であるのに対し、女性の正常値は０．４ｍｇ／ｄＬ〜０．８ｍｇ／ｄＬの範囲と、性別により異なる範囲となる。所定範囲内又は外であることを識別可能に表示するとは、例えば、個々の検査データの推移において、正常値範囲内である期間と正常値範囲外である期間とを異なる表示態様で区別して認識できるように表示することを含む。
【００３０】
上述の構成により、複数種の検査データの所定範囲内及び所定範囲外の推移を比較して確認することができ、検査データそれぞれの影響を考察することができる。
【００３１】
以下、具体的に説明する。
【００３２】
図３は本実施の形態の表示処理部５２が表示画面５１に表示する第１表示例を示す模式図である。図３において、横軸は期間を示し、縦軸は検査データの数値を示す。図３の例では、特定期間として、２月１日から２月１１日までの期間を特定してあり、検査データは、日単位でプロットされ、折れ線グラフで表示されている。図３では、符号Ａ、Ｂ、Ｃで示す三つの検査データ（以下、検査データＡ、Ｂ、Ｃとも称する）の時間的推移が表示領域６１内に表示されている。なお、図３において、三つの検査データＡ、Ｂ、Ｃは、時間的推移を分かりやすくするため模式的に示すものであって、実際のデータとは異なる場合がある。また、検査データの対象を模式的に示したことに伴い、検査データの数値を示す箇所に単位を示していないが、通常は単位も併せて示されることが望ましい。
【００３３】
凡例に示すように、検査データＡの特定期間での最小値は１１であり、最大値は４４であり、下限値は１０であり、上限値は４０である。検査データＡの正常値範囲は１０から４０となる。また、検査データＢの特定期間での最小値は１０であり、最大値は５８であり、下限値は１０であり、上限値は５０である。検査データＢの正常値範囲は１０から５０となる。また、検査データＣの特定期間での最小値は１１であり、最大値は１１１１であり、下限値は２００であり、上限値は１５０００である。検査データＣの正常値範囲は２００から１５０００となる。
【００３４】
検査データＡは、２月９日のデータが上限値４０を超えており、正常値範囲外のデータは正常値範囲内のデータと比べて、太線で表示されている。また、検査データＢは、２月９日のデータが上限値５０を超えており、正常値範囲外のデータは正常値範囲内のデータと比べて、太線で表示されている。また、検査データＣは、２月３日以降のデータが下限値２００を下回っており、正常値範囲外のデータは正常値範囲内のデータと比べて、太線で表示されている。なお、正常値範囲内又は外の別を識別する態様は、線の太さに限定されるものではなく、線の種類（例えば、実線、破線、一点鎖線など）グラフの色、形状などを異なるように表示してもよい。
【００３５】
上述のように、識別処理部５２２は、複数の検査データ（医療データ）がそれぞれの所定範囲外にある時点又は期間を識別可能に表示する。例えば、図３に示すように、複数の検査データＡ、Ｂ、Ｃが折れ線グラフで表示される場合、所定範囲外にある時点又は期間でのグラフの色、形状などを目立つように変更して表示することができる。これにより、患者の検査結果が良くない時点又は期間だけでなく、検査結果同士の相関関係も容易に把握することができる。
【００３６】
また、識別処理部５２２は、複数の検査データがそれぞれの所定範囲外にある時点又は期間と、複数の医療データがそれぞれの所定範囲内にある時点又は期間とを異なる表示態様で表示する。これにより、複数種の検査データが正常値範囲内にある時点又は期間と、正常値範囲外にある時点又は期間との推移を比較して確認することができ、検査データそれぞれの影響を考察することができる。
【００３７】
図４は本実施の形態の表示処理部５２が表示画面５１に表示する第２表示例を示す模式図である。図４の例では、検査データＢの折れ線グラフにマウスのカーソル（ポインタ）Ｍを近づけて検査データＢが選択された状態を示す。この場合、検査データＢに関する縦軸の数値目盛（スケール）だけが表示され、検査データＡ、Ｃに関する数値目盛は表示されない。また、検査データＢに関する凡例だけが表示され、検査データＡ、Ｃに関する凡例は表示されない。
【００３８】
このように、識別処理部５２２は、推移が表示された任意の検査データを選択する操作を受け付けた場合、選択された検査データに係る数値目盛、及び選択された検査データに係る所定範囲を示す境界の少なくとも一つを表示することができる。境界は、例えば、上限値又は下限値とすることができる。
【００３９】
これにより、表示領域６１に表示された複数の検査データの中から、注目する検査データを選択すると、選択した検査データの数値目盛、上限値、下限値などが表示されるので、複数の検査データが同時に表示される場合に、他の検査データの正常値範囲に対する推移と対比しながら注目する検査データの具体的な数値の推移を把握しやすくなる。
【００４０】
図５は本実施の形態の表示処理部５２が表示画面５１に表示する第３表示例を示す模式図である。図５の例では、検査データＢの折れ線グラフにマウスのカーソル（ポインタ）Ｍを近づけて検査データＢが選択された状態を示す。この場合、検査データＢ、検査データＢに関する縦軸の数値目盛（スケール）、及び凡例だけが表示され、検査データＡ、Ｃ、検査データＡ、Ｃに関する数値目盛、及び凡例は表示画面５１から消去される。
【００４１】
このように、識別処理部５２２は、推移が表示された任意の検査データを選択する操作を受け付けた場合、選択されなかった検査データの推移を表示画面５１から消去する。これにより、表示領域６１に表示された複数の検査データの中から、注目する検査データを選択すると、注目する検査データだけが表示されるので、他の検査データとの比較検討後速やかに注目する検査データの具体的なデータの推移を分析しやすくなる。
【００４２】
図６は本実施の形態の表示処理部５２が表示画面５１に表示する第４表示例を示す模式図である。図６の例では、検査データＢの折れ線グラフのうち、検査データＢが正常値範囲外の部分にマウスのカーソル（ポインタ）Ｍを近づけて検査データＢが選択された状態を示す。この場合、特定期間（２月１日から２月１１日まで）以外の期間で、当該患者の検査データＢが正常値範囲外となっている時点又は期間を表示する。図６の例では、表示領域６２に、１月１０日から１月１４日までの期間（検査データＢが正常値範囲外となっている期間）が表示される。
【００４３】
このように、データ表示処理部５２１は、推移が表示された任意の検査データが所定範囲外にある時点又は期間を選択する操作を受け付け、当該検査データが所定範囲外にある他の時点又は他の期間が存在する場合、当該他の時点又は他の期間を表示する。
【００４４】
例えば、検査データＢが所定範囲外にある時点又は期間が、２月９日及び１月１０日から１月１４日までとし、表示画面５１には、２月９日の検査データが表示され、１月１０日から１月１４日までの検査データは表示されていないとする。この場合、図６に示すように、２月９日の検査データが選択されると、１月１０日から１月１４日までの検査データの推移が表示領域６２に表示される。なお、図６の例では、表示領域６１、６２は隣り合って表示されているが、表示領域６２を表示領域６１の一部に重ねて表示してもよい。
【００４５】
上述の構成により、ある患者の検査結果が良くない（正常値範囲外の）時点又は期間を全体として俯瞰することができる。
【００４６】
図７は本実施の形態の表示処理部５２が表示画面５１に表示する第５表示例を示す模式図である。図７の例では、検査データＢの折れ線グラフのうち、検査データＢが正常値範囲外の部分（例えば、２月９日の検査データ）にマウスのカーソル（ポインタ）Ｍを近づけて検査データＢが選択された状態を示す。この場合、検査データＢに関連する医療情報を表示する。関連する医療情報とは、例えば、検査データが得られた日又は期間と同じ日又は期間に行われた他の検査に関する医療情報とすることができる。また、関連する医療情報とは、例えば、対象の検査データと関連性の高い他の検査に関する医療情報とすることができる。図７の例では、２月９日に検査された検査画像７１（例えば、ＣＴ、ＣＲ、ＵＳ、ＭＲＩなどの画像）が表示領域６３に表示される。検査データＢが正常値範囲外となる時点又は期間に該当する医療情報が存在しない場合には、当該時点又は期間に最も近い時点又は期間に得られた医療情報を表示してもよい。また、表示する医療情報は、画像に限定されない。
【００４７】
上述のように、医療情報表示処理部５２３は、推移が表示された任意の検査データを選択する操作を受け付けた場合、選択された検査データに関連する医療情報を表示する。所定範囲外にある検査データを選択した場合、検査データが所定範囲外にあるときの関連する部位の画像を表示することができる。また、所定範囲内にある検査データを選択した場合、検査データが所定範囲内にあるときの関連する部位の画像を表示することもできる。
【００４８】
これにより、例えば、ある患者の検査結果が良くない状態における、さらに詳細であって関連する医療情報を速やかに確認することができる。また、ある患者の検査結果が良い場合と良くない場合とを対比して確認することができる。
【００４９】
なお、図４から図７で例示した選択操作は、それぞれ異なる操作を予め割り当てることができる。例えば、マウスオーバー、マウスの左１クリック、左２クリック（ダブルクリック）、左３クリック（トリプルクリック）、右１クリック、右２クリック、右３クリック、ドラッグなどの操作を含む適宜の操作を割り当てることができる。
【００５０】
図８は本実施の形態の表示処理部５２が表示画面５１に表示する第６表示例を示す模式図である。図８の例では、検査データＢの通常範囲の最大値及び最小値が、検査データＢの正常値の上限値及び正常値の下限値とともに表示されている。通常範囲の最大値及び最小値は、例えば、２月１日から２月１１日までの特定期間とは別に、健常時等の正常値範囲内の検査値を示していた時期として指定された特定期間に得られた検査値の最小値から最大値の範囲として特定される範囲である。図８において、検査データＢの正常値範囲の上限値及び下限値に代えて、通常範囲の最大値及び最小値を表示してもよい。これにより、ある患者の検査データが正常値範囲内であった期間に比べて、現時点の特定期間における検査データが、どの程度悪化しているのか比較して確認することができる。
【００５１】
図９は本実施の形態の表示処理部５２が表示画面５１に表示する第７表示例を示す模式図である。図９の例では、各検査データＡ、Ｂ、Ｃの正常値範囲の上限値を上線が付加された数値で表し、正常値範囲の下限値を下線が付加された数値で表している。また、各検査データＡ、Ｂ、Ｃの通常範囲の上限値を上二重線が付加された数値で表し、通常範囲の下限値を下二重線が付加された数値で表している。これにより、ある患者の検査データが正常値範囲内であった期間に比べて、現時点の特定期間における検査データが、どの程度悪化しているのか具体的に数値を比較して確認することができる。なお、上限値及び下限値の表し方は、図９の例に限定されない。
【００５２】
図１０は本実施の形態の表示処理部５２が表示画面５１に表示する第８表示例を示す模式図である。図１０の例では、検査データＡ、Ｂ、Ｃそれぞれの所定範囲の上限値を示す上限ラインが共通化されている。また、検査データＡ、Ｂ、Ｃそれぞれの所定範囲の下限値を示す下限ラインが共通化されている。共通化するとは、対象の検査データの所定範囲の上限値及び下限値が同じ値になるように、対象の検査データの値を調整することである。また、上限ライン及び下限ラインで区別される正常値範囲内か正常値範囲外かを、グラフの背景の色又は模様を変更して識別可能にすることもできる。
【００５３】
すなわち、データ表示処理部５２１は、複数の検査データに係るそれぞれの所定範囲を示す境界を共通化して表示する。これにより、表示画面５１に表示されている全ての検査データの正常値範囲と範囲外とのスケールを統一して表示することができるので、それぞれの検査データが正常値範囲であるのか、正常値範囲外であるのかが容易に確認することができる。
【００５４】
図１１は本実施の形態の表示処理部５２が表示画面５１に表示する第９表示例を示す模式図である。図１１の例では、検査データＡの折れ線グラフにマウスのカーソル（ポインタ）Ｍを近づけて検査データＡが選択された状態を示す。この場合、検査データＡに関する縦軸の数値目盛（スケール）が表示される。これにより、正常値範囲内外を分ける境界が共通化して表示された場合でも、注目する検査データの正常値範囲内外を数値で確認することが容易になる。
【００５５】
図１２は本実施の形態の表示処理部５２が表示画面５１に表示する第１０表示例を示す模式図である。図１２の例では、検査データＡ、Ｂ、Ｃの時間的推移がレーダーチャートで表されている。また、図１０の例と同様に、検査データＡ、Ｂ、Ｃそれぞれの上限値を示す上限ラインが共通化されている。また、検査データＡ、Ｂ、Ｃそれぞれの下限値を示す下限ラインが共通化されている。
【００５６】
図１３は本実施の形態の表示処理部５２の構成の他の例を示すブロック図である。図１３に示すように、表示処理部５２は、ＣＰＵ５２６、ＲＯＭ５２７、ＲＡＭ５２８、記録媒体読取部５２９などで構成することができる。記録媒体１に記録されたコンピュータプログラムを記録媒体読取部５２９で読み取ってＲＡＭ５２８に格納することができる。ＲＡＭ５２８に格納されたコンピュータプログラムをＣＰＵ５２６で実行させることにより、データ表示処理部５２１、識別処理部５２２、医療情報表示処理部５２３で行う処理を実行することができる。なお、ＣＰＵ５２６は、プロセッサ、プロセッサデバイス、プロセッシングユニットなどの総称とし、１又は複数で構成することができる。また、コンピュータプログラムは、記録媒体読取部５２９で読み取る構成に代えて、インターネットなどのネットワークを介してダウンロードすることもできる。
【００５７】
次に、本実施の形態の表示装置５０の動作について説明する。
【００５８】
図１４は本実施の形態の表示装置５０による表示処理の一例を示すフローチャートである。以下では、便宜上処理の主体を表示処理部５２として説明する。表示処理部５２は、患者の特定情報を取得する（Ｓ１１）。特定情報の取得は、例えば、医療従事者が、操作入力部５３から患者の特定情報を入力、あるいは表示画面５１に表示された患者の一覧から所要の患者を選択することにより行うことができる。
【００５９】
表示処理部５２は、特定された患者の医療情報をサーバ２０から取得する（Ｓ１２）。取得した医療情報は記憶部５５に記憶することができる。表示処理部５２は、患者の特定期間及び種類の異なる医療データ（検査データ）を選択する（Ｓ１３）。なお、特定期間及び種類の異なる医療データは、医療従事者が選定して操作入力部５３から入力することができる。
【００６０】
表示処理部５２は、選択された医療データの時間的推移を表示画面５１に表示し（Ｓ１４）、表示される医療データが所定範囲内であるか所定範囲外であるかを識別可能な態様で表示する（Ｓ１５）。表示処理部５２は、表示画面５１に表示された複数の医療データのうち、任意の医療データの選択操作があったか否かを判定する（Ｓ１６）。
【００６１】
選択操作があった場合（Ｓ１６でＹＥＳ）、表示処理部５２は、選択操作に応じた表示処理を行う（Ｓ１７）。なお、選択操作に応じた表示処理の詳細は後述する。医療データの選択操作がなかった場合（Ｓ１６でＮＯ）、表示処理部５２は、後述のステップＳ１８の処理を行う。
【００６２】
表示処理部５２は、処理を終了するか否かを判定し（Ｓ１８）、処理を終了しない場合（Ｓ１８でＮＯ）、ステップＳ１６以降の処理を続け、処理を終了する場合（Ｓ１８でＹＥＳ）、処理を終了する。
【００６３】
図１５は本実施の形態の表示装置５０による選択操作に応じた表示処理の一例を示すフローチャートである。表示処理部５２は、医療情報を表示する選択操作の有無を判定する（Ｓ１０１）。医療情報を表示する選択操作は、例えば、図７に例示した操作である。医療情報を表示する選択操作があった場合（Ｓ１０１でＹＥＳ）、表示処理部５２は、医療情報を表示し（Ｓ１０２）、処理を終了する。
【００６４】
医療情報を表示する選択操作がなかった場合（Ｓ１０１でＮＯ）、表示処理部５２は、数値目盛、境界を表示する選択操作の有無を判定する（Ｓ１０３）。数値目盛、境界を表示する選択操作は、例えば、図４に例示した操作である。数値目盛、境界を表示する選択操作があった場合（Ｓ１０３でＹＥＳ）、表示処理部５２は、数値目盛、境界を表示し（Ｓ１０４）、処理を終了する。
【００６５】
数値目盛、境界を表示する選択操作がなかった場合（Ｓ１０３でＮＯ）、表示処理部５２は、医療データを消去する選択操作の有無を判定する（Ｓ１０５）。医療データを消去する選択操作は、例えば、図５に例示した操作である。医療データを消去する選択操作があった場合（Ｓ１０５でＹＥＳ）、表示処理部５２は、選択されなかった医療データを表示画面５１から消去し（Ｓ１０６）、処理を終了する。
【００６６】
医療データを消去する選択操作がなかった場合（Ｓ１０５でＮＯ）、表示処理部５２は、医療データが所定範囲外にある他の時点又は期間の医療データを表示する選択操作の有無を判定する（Ｓ１０７）。当該選択操作は、例えば、図６に例示した操作である。医療データを表示する選択操作があった場合（Ｓ１０７でＹＥＳ）、表示処理部５２は、他の時点又は期間の医療データを表示し（Ｓ１０８）、処理を終了する。
【００６７】
医療データを表示する選択操作がなかった場合（Ｓ１０７でＮＯ）、表示処理部５２は、境界を共通化して表示する選択操作の有無を判定する（Ｓ１０９）。境界を共通化して表示する選択操作は、例えば、図１０に例示した表示を行うための操作である。境界を共通化して表示する選択操作があった場合（Ｓ１０９でＹＥＳ）、表示処理部５２は、境界を共通化して表示し（Ｓ１１０）、処理を終了する。境界を共通化して表示する選択操作がなかった場合（Ｓ１０９でＮＯ）、表示処理部５２は、処理を終了する。
【００６８】
上述のように、本実施の形態によれば、限られた表示領域の中で、複数種の検査データ（医療データ）の正常値範囲内及び正常値範囲外の推移を比較して確認することができ、検査データそれぞれの影響を考察することができる。
【００６９】
本実施の形態では、検査データの時間的推移を表示する例を説明したが、検査データの推移は、時間的推移に限定されない。また、医療データは、検査データに限定されるものではなく、推移を観察する必要があるものであれば、どのようなデータであってもよい。
【００７０】
本実施の形態では、特定期間として、２月１日から２月１１日までの期間を日単位で示したが、特定期間は、これに限定されるものではない。特定期間は、数日単位で区切ってもよく、月単位で区切ってもよく、時間単位で区切ってもよい。また、特定期間を異なる期間の長さで区切ることもできる。
【００７１】
本実施の形態では、検査データを折れ線グラフ、レーダーチャートで表したが、これらのチャートに限定されるものではなく、例えば、複数種の検査データの推移を表すものとして、棒グラフなどを用いることもできる。
【００７２】
上述の実施の形態では、表示装置５０が表示処理部５２を備える構成であったが、これに限定されるものではない。例えば、サーバ２０に、表示処理部５２と同様の構成を備えることができる。この場合、表示装置５０では、操作入力部５３で行われた操作をサーバ２０へ出力し、当該操作に応じてサーバ２０が所要の表示処理を行い、処理結果を当該表示装置５０へ送信するようにすればよい。
【００７３】
本実施の形態に係るコンピュータプログラムは、コンピュータに、医療データを表示画面に表示させるためのコンピュータプログラムであって、コンピュータに、種類の異なる複数の医療データの推移を前記表示画面に表示する処理と、前記複数の医療データが該複数の医療データに係るそれぞれの所定範囲内又は外であることを識別可能に表示する処理とを実行させる。
【００７４】
本実施の形態に係る表示装置は、医療データを表示画面に表示する表示装置であって、種類の異なる複数の医療データの推移を前記表示画面に表示するデータ表示処理部と、前記複数の医療データが該複数の医療データに係るそれぞれの所定範囲内又は外であることを識別可能に表示する識別処理部とを備える。
【００７５】
本実施の形態に係る表示方法は、医療データを表示画面に表示する表示方法であって、種類の異なる複数の医療データの推移を前記表示画面にデータ表示処理部が表示し、前記複数の医療データが該複数の医療データに係るそれぞれの所定範囲内又は外であることを識別可能に識別処理部が表示する。
【００７６】
本実施の形態に係るコンピュータプログラム、表示装置及び表示方法は、種類の異なる複数の医療データの推移を表示画面に表示し、複数の医療データが当該複数の医療データに係るそれぞれの所定範囲内又は外であることを識別可能に表示する。
【００７７】
種類の異なる複数の医療データとは、例えば、ある患者に対する種類の異なる検査を行った検査結果を示す検査データである。所定範囲とは、例えば、各医療データの正常値範囲とすることができる。所定範囲内又は外であることを識別可能に表示するとは、例えば、個々の医療データの推移（例えば、時間的推移）において、所定範囲内である期間と所定範囲外である期間とを異なる表示態様で区別して認識できるように表示することを含む。
【００７８】
上述の構成により、複数種の医療データ（検査データ）の正常値範囲内及び正常値範囲外の推移を比較して確認することができ、医療データそれぞれの影響を考察することができる。
【００７９】
本実施の形態に係るコンピュータプログラムは、コンピュータに、前記複数の医療データがそれぞれの所定範囲外にある時点又は期間を識別可能に表示する処理を実行させる。
【００８０】
本実施の形態に係るコンピュータプログラムは、複数の医療データがそれぞれの所定範囲外にある時点又は期間を識別可能に表示する。例えば、複数の医療データが折れ線グラフで表示される場合、所定範囲外にある時点又は期間でのグラフの色、形状などを目立つように変更して表示することができる。これにより、患者の検査結果が良くない時点又は期間だけでなく、検査結果同士の相関関係も容易に把握することができる。
【００８１】
本実施の形態に係るコンピュータプログラムは、コンピュータに、前記複数の医療データがそれぞれの所定範囲外にある時点又は期間と、前記複数の医療データがそれぞれの所定範囲内にある時点又は期間とを異なる表示態様で表示する処理を実行させる。
【００８２】
本実施の形態に係るコンピュータプログラムは、複数の医療データがそれぞれの所定範囲外にある時点又は期間と、複数の医療データがそれぞれの所定範囲内にある時点又は期間とを異なる表示態様で表示する。これにより、複数種の医療データ（検査データ）が正常値範囲内にある時点又は期間と、正常値範囲外にある時点又は期間との推移を比較して確認することができ、医療データそれぞれの影響を考察することができる。
【００８３】
本実施の形態に係るコンピュータプログラムは、コンピュータに、推移が表示された任意の医療データを選択する操作を受け付けた場合、選択された医療データに関連する医療情報を表示する処理を実行させる。
【００８４】
本実施の形態に係るコンピュータプログラムは、推移が表示された任意の医療データを選択する操作を受け付けた場合、選択された医療データに関連する医療情報を表示する。医療情報は、例えば、医療データに関連する部位の画像（ＣＴ、ＭＲＩ、ＣＲ、ＵＳなど）とすることができる。所定範囲内にある医療データを選択した場合、医療データが所定範囲内にあるときの関連する部位の画像を表示することができる。また、所定範囲外にある医療データを選択した場合、医療データが所定範囲外にあるときの関連する部位の画像を表示することができる。これにより、例えば、ある患者の検査結果が良くない状態における、さらに詳細であって関連する医療情報を速やかに確認することができる。
【００８５】
本実施の形態に係るコンピュータプログラムは、コンピュータに、推移が表示された任意の医療データを選択する操作を受け付けた場合、選択された医療データに係る数値目盛、及び選択された医療データに係る所定範囲を示す境界の少なくとも一つを表示する処理を実行させる。
【００８６】
本実施の形態に係るコンピュータプログラムは、推移が表示された任意の医療データを選択する操作を受け付けた場合、選択された医療データに係る数値目盛、及び選択された医療データに係る所定範囲を示す境界の少なくとも一つを表示する。境界は、例えば、上限値又は下限値とすることができる。
【００８７】
これにより、注目する医療データを選択すると、選択した医療データの数値目盛、上限値、下限値などが表示されるので、複数の医療データが同時に表示される場合に、他の医療データの正常値範囲に対する推移と対比しながら注目する医療データの具体的な数値の推移を把握しやすくなる。
【００８８】
本実施の形態に係るコンピュータプログラムは、コンピュータに、推移が表示された任意の医療データを選択する操作を受け付けた場合、選択されなかった医療データの推移を前記表示画面から消去する処理を実行させる。
【００８９】
本実施の形態に係るコンピュータプログラムは、推移が表示された任意の医療データを選択する操作を受け付けた場合、選択されなかった医療データの推移を表示画面から消去する。これにより、注目する医療データを選択すると、注目する医療データだけが表示されるので、他の医療データとの比較検討後速やかに注目する医療データの具体的なデータの推移を分析しやすくなる。
【００９０】
本実施の形態に係るコンピュータプログラムは、コンピュータに、推移が表示された任意の医療データが所定範囲外にある時点又は期間を選択する操作を受け付け、前記医療データが前記所定範囲外にある他の時点又は他の期間が存在する場合、該他の時点又は他の期間を表示する処理を実行させる。
【００９１】
本実施の形態に係るコンピュータプログラムは、推移が表示された任意の医療データが所定範囲外にある時点又は期間を選択する操作を受け付け、当該医療データが所定範囲外にある他の時点又は他の期間が存在する場合、当該他の時点又は他の期間を表示する。
【００９２】
例えば、ある医療データが所定範囲外にある時点又は期間が、２月９日及び１月１０日から１月１４日までとし、表示画面には、２月９日の医療データが表示され、１月１０日から１月１４日までの医療データは表示されていないとする。この場合、２月９日の医療データが選択されると、１月１０日から１月１４日までの医療データの推移が表示される。これにより、ある患者の検査結果が良くない時点又は期間を全体として俯瞰することができる。
【００９３】
本実施の形態に係るコンピュータプログラムは、コンピュータに、前記複数の医療データに係るそれぞれの所定範囲を示す境界を共通化して表示する処理を実行させる。
【００９４】
本実施の形態に係るコンピュータプログラムは、複数の医療データに係るそれぞれの所定範囲を示す境界を共通化して表示する。これにより、表示画面に表示されている全ての医療データの正常値範囲と範囲外とのスケールを統一して表示することができるので、それぞれの医療データが正常値範囲であるのか、正常値範囲外であるのかが容易に確認することができる。
【００９５】
本実施の形態に係る表示システムは、本実施の形態に係る表示装置と、該表示装置に接続され、医療データを記憶する記憶部を有するサーバとを備える。
【００９６】
これにより、患者の医療情報を一元管理することができる。
【符号の説明】
【００９７】
１０  情報処理装置
２０  サーバ
２１  制御部
２２  記憶部
２３  通信部
５０  表示装置
５１  表示画面
５２  表示処理部
５３  操作入力部
５４  通信部
５５  記憶部
５２１  データ表示処理部
５２２  識別処理部
５２３  医療情報表示処理部
５２６  ＣＰＵ
５２７  ＲＯＭ
５２８  ＲＡＭ
５２９  記録媒体読取部
【図１】
2018173903.tif 000003
【図２】
2018173903.tif 000004
【図３】
2018173903.tif 000005
【図４】
2018173903.tif 000006
【図５】
2018173903.tif 000007
【図６】
2018173903.tif 000008
【図７】
2018173903.tif 000009
【図８】
2018173903.tif 000010
【図９】
2018173903.tif 000011
【図１０】
2018173903.tif 000012
【図１１】
2018173903.tif 000013
【図１２】
2018173903.tif 000014
【図１３】
2018173903.tif 000015
【図１４】
2018173903.tif 000016
【図１５】
2018173903.tif 000017